(57)【要約】    【課題】モノ音源及びステレオ音源の何れか１つの入力を受けて、複数の音源出力装置に全て出力することにより、複数の音源出力装置を効率的に使用することができる移動通信端末機のモノ音源及びステレオ音源出力装置を提供する。    【解決手段】移動通信端末機のモノ音源及びステレオ音源出力装置は、ステレオ音源を出力するステレオコーデック１１と、前記ステレオコーデック１１から出力されたステレオ音源を処理するための第１の経路部(２０、３０、４０)と、前記ステレオコーデック１１から出力されたステレオ音源をモノ音源に処理するための第２の経路部(２０、１３、５０、６０、７０)と、前記第１の経路部及び前記第２の経路部に連結されて前記ステレオ音源及びモノ音源を再生する音源出力部９０とを含む。【選択図】図１
2006222932.tif 000002
【特許請求の範囲】
【請求項１】
ステレオ音源を出力するステレオコーデックと、
前記ステレオコーデックから出力されたステレオ音源を処理するための第１の経路部と、
前記ステレオコーデックから出力されたステレオ音源をモノ音源に処理するための第２の経路部と、
前記第１及び第２の経路部に連結されて前記ステレオ音源及びモノ音源を再生する音源出力部と、
を含むことを特徴とする移動通信端末機のモノ音源及びステレオ音源出力装置。
【請求項２】
前記第１の経路部は、
前記ステレオコーデックから出力されたステレオ音源に基づいて、２つの同一のステレオ音源を生成する第１のイコールスプリッタと、
前記第１のイコールスプリッタで生成されたステレオ音源のうちの第１のステレオ音源をスイッチングする第１のＤＰＳＴスイッチと、
前記第１のＤＰＳＴスイッチでスイッチングされた第１のステレオ音源を前記音源出力部に出力するＳＰＤＴスイッチと、
を含むことを特徴とする請求項１に記載の移動通信端末機のモノ音源及びステレオ音源出力装置。
【請求項３】
前記音源出力部は、ステレオ音源を再生するステレオイヤジャック及びスピーカーを含むことを特徴とする請求項２に記載の移動通信端末機のモノ音源及びステレオ音源出力装置。
【請求項４】
前記第２の経路部は、
前記ステレオコーデックから出力されたステレオ音源に基づいて、２つの同一のステレオ音源を生成する第１のイコールスプリッタと、
前記第１のイコールスプリッタで生成されたステレオ音源のうちの第２のステレオ音源をモノ音源に変換するモノコーデックコンバータと、
前記モノコーデックコンバータで変換されたモノ音源をスイッチングする第２のＤＰＳＴスイッチと、
前記第２のＤＰＳＴスイッチでスイッチングされたモノ音源に基づいて、２つの同一のモノ音源を生成する第２のイコールスプリッタと、
前記第２のイコールスプリッタで生成されたモノ音源の位相を、前記第１の経路部から出力されたステレオ音源の位相と一致させて前記音源出力部に出力する移相器と、
を含むことを特徴とする請求項１に記載の移動通信端末機のモノ音源及びステレオ音源出力装置。
【請求項５】
前記音源出力部は、モノ音源を再生するイヤピースであることを特徴とする請求項４に記載の移動通信端末機のモノ音源及びステレオ音源出力装置。
【請求項６】
前記移相器に位相を提供する位相検出部をさらに含むことを特徴とする請求項４に記載の移動通信端末機のモノ音源及びステレオ音源出力装置。
【請求項７】
前記位相検出部は、
前記第１の経路部のステレオ音源の位相を検出する第１の位相検出部と、
前記第２の経路部のモノ音源の位相を検出する第２の位相検出部と、
前記第１及び第２の位相検出部により検出された位相を比較してその比較結果を出力する位相比較部と、
を含むことを特徴とする請求項６に記載の移動通信端末機のモノ音源及びステレオ音源出力装置。
【請求項８】
モノ音源を出力するモノコーデックと、
前記モノコーデックから出力されたモノ音源を処理するための第１の経路部と、
前記モノコーデックから出力されたモノ音源を処理するための第２の経路部と、
前記第１及び第２の経路部に連結されて前記モノ音源を再生する音源出力部と、
を含むことを特徴とする移動通信端末機のモノ音源及びステレオ音源出力装置。
【請求項９】
前記第１の経路部は、
前記モノコーデックから出力されたモノ音源をスイッチングする第１のＤＰＳＴスイッチと、
前記第１のＤＰＳＴスイッチでスイッチングされたモノ音源に基づいて、２つの同一のモノ音源を生成するイコールスプリッタと、
前記イコールスプリッタで生成されたモノ音源のうちの第１のモノ音源の位相を、前記第２の経路部から出力された第２のモノ音源の位相と一致させて前記音源出力部に出力する移相器と、
を含むことを特徴とする請求項８に記載の移動通信端末機のモノ音源及びステレオ音源出力装置。
【請求項１０】
前記音源出力部は、モノ音源を再生するイヤピースであることを特徴とする請求項９に記載の移動通信端末機のモノ音源及びステレオ音源出力装置。
【請求項１１】
前記移相器に位相を提供する位相検出部をさらに含むことを特徴とする請求項９に記載の移動通信端末機のモノ音源及びステレオ音源出力装置。
【請求項１２】
前記位相検出部は、
前記第１の経路部のモノ音源の位相を検出する第１の位相検出部と、
前記第２の経路部のモノ音源の位相を検出する第２の位相検出部と、
前記第１及び第２の位相検出部により検出された位相を比較してその比較結果を出力する位相比較部と、
を含むことを特徴とする請求項１１に記載の移動通信端末機のモノ音源及びステレオ音源出力装置。
【請求項１３】
前記第２の経路部は、
前記モノコーデックから出力されたモノ音源をスイッチングする第１のＤＰＳＴスイッチと、
前記第１のＤＰＳＴスイッチでスイッチングされたモノ音源に基づいて、２つの同一のモノ音源を生成するイコールスプリッタと、
前記イコールスプリッタで生成されたモノ音源をスイッチングする第２のＤＰＳＴスイッチと、
前記第２のＤＰＳＴスイッチでスイッチングされたモノ音源を前記音源出力部に出力するＳＰＤＴスイッチと、
を含むことを特徴とする請求項８に記載の移動通信端末機のモノ音源及びステレオ音源出力装置。
【請求項１４】
前記音源出力部は、ステレオ音源を再生するステレオイヤジャック及びスピーカーを含むことを特徴とする請求項１３に記載の移動通信端末機のモノ音源及びステレオ音源出力装置。
【発明の詳細な説明】
【技術分野】
【０００１】
本発明は、移動通信端末機に関し、特に、複数の音源出力装置を効率的に使用することができるようにした移動通信端末機のモノ音源及びステレオ音源出力装置に関する。
【背景技術】
【０００２】
一般に、移動通信端末機は、ＢＳ(Base Station)により形成されるサービス領域内で移動しながら、ＭＳＣ(Mobile Switching Center)のスイッチング制御を通して、何時何処でも直ちに相手方を無線呼出及び無線接続して通信することができる装置であって、音声通信だけでなく、記号、数字及び文字などからなるデータ通信、並びに、画像信号が含まれるマルチメディア通信が可能である。
【０００３】
最近開発されている大部分の移動通信端末機は、カメラを備えてリアルタイムに動画像を伝送することができるため、画像通話のようなより幅広い活用範囲を提供することも可能となり、モノ音源及びステレオ音源を出力するための装置の重要性も大きくなってきている。
【０００４】
以下、このような従来の移動通信端末機のモノ音源及びステレオ音源出力装置について図３を参照して説明する。
【０００５】
図３は、従来の移動通信端末機のモノ音源及びステレオ音源出力装置を示すブロック図である。
【０００６】
図３に示すように、従来の移動通信端末機のモノ音源及びステレオ音源出力装置は、ステレオ音源を再生するための、ステレオコーデック１１、ＳＰＤＴ（Single Pole Double Throw：単極双投）スイッチ４０、ステレオイヤジャック９１及びスピーカー９３と、モノ音源を再生するための、モノコーデック１５及びイヤピース９５とを含んでいる。
【０００７】
次に、このように構成された従来の移動通信端末機のモノ音源及びステレオ音源出力装置の動作原理を説明する。
【０００８】
まず、ＣＰＵ(Central Processing Unit)１０は、ステレオ音源の入力を受けると、この入力されたステレオ音源を、ステレオコーデック１１を通して処理してＨＰＨ＿Ｌ端子及びＨＰＨ＿Ｒ端子に出力する。
【０００９】
ＳＰＤＴスイッチ４０は、（単極双投）スイッチであって、ＨＰＨ＿Ｌ端子及びＨＰＨ＿Ｒ端子から出力されたステレオ音源を、ＬＥＦＴ＿ＯＵＴ端子及びＲＩＧＨＴ＿ＯＵＴ端子を通してステレオイヤジャック９１に、または、ＳＰＫ＿Ｌ端子及びＳＰＫ＿Ｒ端子を通してスピーカー９３に、というように選択的に出力することによって、ステレオ音源が再生されるようにする。このとき、ＳＰＤＴスイッチ４０は、ステレオイヤジャック９１及びスピーカー９３の何れか１つを選択するための制御信号、即ち、ＣＰＵ１０から出力されたＳＰＫ＿ＥＡＲ＿ＳＥＬ信号に基づいて、ステレオ音源を再生するためステレオイヤジャック９１又はスピーカー９３を選択するようになっている。
【００１０】
一方、ＣＰＵ１０は、モノ音源の入力を受けると、この入力されたモノ音源を、モノコーデック１５を通して処理してＥＡＲ＋端子及びＥＡＲ−端子に出力することにより、イヤピース９５を通してモノ音源が再生されるようにする。
【００１１】
ここで、ＣＰＵ１０は、ステレオイヤジャック９１を周期的に感知する感知信号であるＥＡＲＪＡＣＫ＿ＳＥＮＳＥ信号を通して、ステレオイヤジャック９１にイヤホンが連結されているか否かを確認し、イヤホンが連結されていると、ＥＡＲ＋端子及びＥＡＲ−端子を遮断(オフ)させ、ＨＰＨ＿Ｌ端子及びＨＰＨ＿Ｒ端子を駆動(オン)させることによって、ステレオ音源をステレオイヤジャック９１に連結されたイヤホンを通して再生できるようになっている。
【発明の開示】
【発明が解決しようとする課題】
【００１２】
以上説明したように、従来の移動通信端末機のモノ音源及びステレオ音源出力装置においては、ステレオイヤジャックにイヤホンが挿入（連結）されているときには、ＥＡＲ＋端子及びＥＡＲ−端子をオフさせて、ＨＰＨ＿Ｌ端子及びＨＰＨ＿Ｒ端子をオンさせるようになっていたため、ステレオイヤジャック又はスピーカーしか駆動することができず、同時に複数の音源出力装置を効率的に使用できない（すなわち、イヤピースを駆動することができない）という問題点があった。
【００１３】
本発明は、このような従来技術の問題点を解決するためになされたもので、モノ音源及びステレオ音源の何れか１つの入力を受けて、複数の音源出力装置（の全て）に出力できるようにすることにより、複数の音源出力装置を効率的に使用することのできる移動通信端末機のモノ音源及びステレオ音源出力装置を提供することを目的とする。
【課題を解決するための手段】
【００１４】
上記の目的を達成するために、本発明による移動通信端末機のモノ音源及びステレオ音源出力装置は、ステレオ音源を出力するステレオコーデックと、前記ステレオコーデックから出力されたステレオ音源を処理するための第１の経路部と、前記ステレオコーデックから出力されたステレオ音源をモノ音源に処理するための第２の経路部と、前記第１及び第２の経路部に連結されて前記ステレオ音源及びモノ音源を再生する音源出力部とを含むことを特徴とする。
【００１５】
また、本発明による移動通信端末機のモノ音源及びステレオ音源出力装置は、モノ音源を出力するモノコーデックと、前記モノコーデックから出力されたモノ音源を処理するための第１の経路部と、前記モノコーデックから出力されたモノ音源を処理するための第２の経路部と、前記第１及び第２の経路部に連結されて前記モノ音源を再生する音源出力部とを含むことを特徴とする。ここで、前記第１の経路部は、モノコーデックから出力されたモノ音源に所定の処理（例えば、専らモノ音源を再生する音源出力部に出力するための処理）を行い、前記第２の経路部は、前記第１の経路部とは異なる処理（例えば、モノコーデックから出力されたモノ音源を、専らステレオ音源を再生する音源出力部に出力するための処理）を行う。
【発明の効果】
【００１６】
本発明による移動通信端末機のモノ音源及びステレオ音源出力装置においては、モノ音源及びステレオ音源の何れか１つの入力を受けて、複数の音源出力装置に出力する（モノ音源再生用の音源出力部とステレオ音源再生用の音源出力部との双方に出力する）ことにより、複数の音源出力装置を効率的に使用することができるという効果がある。
【発明を実施するための最良の形態】
【００１７】
以下、モノ音源及びステレオ音源の何れか１つの入力を受けて、（入力を受けた音源を）複数の音源出力装置（の全て）に出力することにより、複数の音源出力装置を効率的に使用することができる、本発明による移動通信端末機のモノ音源及びステレオ音源出力装置の好ましい実施形態について、添付の図面を参照して説明する。なお、本実施形態においては、本発明による（本発明を適用した）移動通信端末機のモノ音源及びステレオ音源出力装置の構成及び動作原理を、ステレオ音源の入力を受ける場合とモノ音源の入力を受ける場合とに分けて説明する。
【００１８】
まず、ステレオ音源が入力されるときに、この入力されるステレオ音源を出力するステレオ音源出力装置として機能する場合（以下単に「ステレオ音源出力装置」という）を、図１を参照して説明する。
【００１９】
図１は、本発明による移動通信端末機のステレオ音源出力装置を示すブロック図を示している。
【００２０】
図１に示すように、本発明による移動通信端末機のステレオ音源出力装置は、ステレオ音源を出力するステレオコーデック１１と、このステレオコーデック１１から出力されたステレオ音源を処理するための、第１のイコールスプリッタ(Equal Splitter)２０、第１のＤＰＳＴ(Double Pole Single Throw：双極単投)スイッチ３０及びＳＰＤＴ(Single Pole Double Throw：単極双投)スイッチ４０を含んで構成される第１経路部と、ステレオコーデック１１から出力されたステレオ音源をモノ音源に処理するための、第１のイコールスプリッタ２０、モノコーデックコンバータ１３、第２のＤＰＳＴスイッチ５０、第２のイコールスプリッタ６０及び移相器７０を含んで構成される第２の経路部と、これら第１の経路部及び第２の経路部に連結されてステレオ音源及びモノ音源を再生する音源出力部９０とを含んでいる。ここで、前記第１の経路部に連結される音源出力部９０は、ステレオイヤジャック９１及びスピーカー９３（主としてステレオ音源再生用に設けられた音源出力部）であり、前記第２の経路部に連結される音源出力部９０は、イヤピース９５（主としてモノ音源再生用に設けられた音源出力部）である。
【００２１】
すなわち、前記第１の経路部は、前記ステレオコーデック１１から出力されたステレオ音源に基づいて、２つの同一のステレオ音源を生成する第１のイコールスプリッタ２０と、この第１のイコールスプリッタ２０で生成されたステレオ音源のうち、（一方のステレオ音源である）第１のステレオ音源をスイッチングする第１のＤＰＳＴスイッチ３０と、この第１のＤＰＳＴスイッチ３０でスイッチングされた第１のステレオ音源を前記音源出力部９０（９１、９３）に出力するＳＰＤＴスイッチ４０とを含んで構成される。また、前記第２の経路部は、前記ステレオコーデック１１から出力されたステレオ音源に基づいて、２つの同一のステレオ音源を生成する第１のイコールスプリッタ２０と、この第１のイコールスプリッタ２０で生成されたステレオ音源のうち、（他方のステレオ音源である）第２のステレオ音源をモノ音源に変換するモノコーデックコンバータ１３と、このモノコーデックコンバータ１３で変換されたモノ音源をスイッチングする第２のＤＰＳＴスイッチ５０と、この第２のＤＰＳＴスイッチ５０でスイッチングされたモノ音源に基づいて、２つの同一のモノ音源を生成する第２のイコールスプリッタ６０と、この第２のイコールスプリッタ６０で生成されたモノ音源の位相を前記第１の経路部から出力されたステレオ音源の位相と一致させて（該モノ音源を）前記音源出力部９０（９５）に出力する移相器７０とを含んで構成される。
【００２２】
以下、このように構成された本発明による移動通信端末機のステレオ音源出力装置の動作原理を詳細に説明する。
【００２３】
まず、ＣＰＵ１０は、ステレオ音源の入力を受けると、この入力されたステレオ音源を、ステレオコーデック１１を通して処理し、この処理したステレオ音源を第１のイコールスプリッタ２０に出力する。
【００２４】
第１のイコールスプリッタ２０は、１つの入力に対し２つの同一出力を生成し出力するので、（出力された）ステレオ音源は、第１の経路部（第１のＤＰＳＴスイッチ３０）に出力されるだけではなく、モノ音源に変換するための第２の経路部（モノコーデックコンバータ１３）にも出力される。
【００２５】
そして、第１のＤＰＳＴスイッチ３０は、第１のイコールスプリッタ２０から出力されたステレオ音源をＳＰＤＴスイッチ４０に出力し、このＳＰＤＴスイッチ４０は、ステレオ音源を音源出力部９０(ステレオイヤジャック９１及びスピーカー９３)に出力する。これにより、移動通信端末機は、ステレオイヤジャック９１に連結されたイヤホン、及びスピーカー９３を通して、ステレオ音源を再生することができる。
【００２６】
一方、モノコーデックコンバータ１３は、第１のイコールスプリッタ２０から出力されたステレオ音源をモノ音源に変換し、この変換したモノ音源を、第２のＤＰＳＴスイッチ５０及び第２のイコールスプリッタ６０を通して、移相器７０に出力する。
【００２７】
移相器７０は、入力されたモノ音源（第２の経路部のモノ音源）の位相を前記ステレオ音源（第１の経路部のステレオ音源）の位相と一致させる。このとき、移相器７０は、位相検出部８０で検出された結果に基づいて前記モノ音源の位相をシフトすることで両音源の位相を一致させるのであるが、かかる位相検出部８０は、第１の経路部のステレオ音源の位相を検出する第１の位相検出部８１と、第２の経路部のモノ音源の位相を検出する第２の位相検出部８５と、検出されたステレオ音源の位相とモノ音源の位相とを比較してその比較結果を出力する位相比較部８３とを含んで構成されている。
【００２８】
このように、本発明による移動通信端末機は、ステレオ音源の入力を受けたときに、単にステレオ音源を再生するだけでなく、ステレオ音源をモノ音源に変換し、この変換したモノ音源をも再生することができるため、音源出力部９０を効率的に用いることができる（すなわち、入力されたステレオ音源は、第１の経路部を介して主としてステレオ音源再生用に設けられたステレオイヤジャック９１及びスピーカー９３に出力されるだけでなく、第２の経路部を介してモノ音源に変換されて主としてモノ音源再生用に設けられたイヤピース９５にも出力される）。
【００２９】
次に、モノ音源が入力されるときに、この入力されるモノ音源を出力するモノ音源出力装置として機能する場合（以下単に「モノ音源出力装置」という）を、図２を参照して説明する。
【００３０】
図２は、本発明による移動通信端末機のモノ音源出力装置を示すブロック図を示している。
【００３１】
図２に示すように、本発明による移動通信端末機のモノ音源出力装置は、モノ音源を出力するモノコーデック１５と、このモノコーデック１５から出力されたモノ音源を処理するための、第２のＤＰＳＴスイッチ５０、第２のイコールスプリッタ６０及び移相器７０を含んで構成される第３の経路部と、モノコーデック１５から出力されたモノ音源をステレオ音源に処理するための、第２のＤＰＳＴスイッチ５０、第２のイコールスプリッタ６０、第１のＤＰＳＴスイッチ３０及びＳＰＤＴスイッチ４０を含んで構成される第４の経路部と、これら第３の経路部及び第４の経路部に連結されてモノ音源及びステレオ音源を再生する音源出力部９０とを含んでいる。ここで、前記第３の経路部に連結される音源出力部９０は、イヤピース９５であり、前記第４の経路部に連結される音源出力部９０は、ステレオイヤジャック９１及びスピーカー９３である。
【００３２】
すなわち、前記第３の経路部は、前記モノコーデック１５から出力されたモノ音源をスイッチングする第２のＤＰＳＴスイッチ５０と、この第２のＤＰＳＴスイッチ５０でスイッチングされたモノ音源に基づいて、２つの同一のモノ音源を生成する第２のイコールスプリッタ６０と、この第２のイコールスプリッタ６０で生成されたモノ音源のうち、（一方のモノ音源である）第１のモノ音源の位相を前記第４の経路部から出力された（他方のモノ音源である）第２のモノ音源の位相と一致させて（該第１のモノ音源を）前記音源出力部９０（９５）に出力する移相器７０とを含んで構成される。また、前記第４の経路部は、前記モノコーデック１５から出力されたモノ音源をスイッチングする第２のＤＰＳＴスイッチ５０と、この第２のＤＰＳＴスイッチ５０でスイッチングされたモノ音源に基づいて、２つの同一のモノ音源を生成する第２のイコールスプリッタ６０と、この第２のイコールスプリッタ６０で生成されたモノ音源をスイッチングする第１のＤＰＳＴスイッチ３０と、この第１のＤＰＳＴスイッチ３０でスイッチングされたモノ音源を前記音源出力部９０（９１、９３）に出力するＳＰＤＴスイッチ４０とを含んでいる。
【００３３】
以下、このように構成された本発明による移動通信端末機のモノ音源出力装置の動作原理を詳細に説明する。
【００３４】
まず、ＣＰＵ１０は、モノ音源の入力を受けると、このモノ音源を、モノコーデック１５を通して処理し、この処理したモノ音源を、第２のＤＰＳＴスイッチ５０を通して第２のイコールスプリッタ６０に出力する。
【００３５】
第２のイコールスプリッタ６０は、出力されたモノ音源を前記第３の経路部（移相器７０）及び第４の経路部（第１のＤＰＳＴスイッチ３０）に出力する。
【００３６】
即ち、移相器７０は、第２のイコールスプリッタ６０から出力されたモノ音源を音源出力部９０（イヤピース９５）に出力する。これにより、本発明による移動通信端末機は、イヤピース９５を通してモノ音源を再生することができる。ここで、移相器７０の構成及び機能は、前述の内容と同様であるのでこれに関する説明は省略する。
【００３７】
また、第１のＤＰＳＴスイッチ３０は、第２のイコールスプリッタ６０から出力されたモノ音源を、ＳＰＤＴスイッチ４０を通してステレオイヤジャック９１及びスピーカー９３に出力する。これにより、本発明による移動通信端末機は、ステレオイヤジャック９１に連結されたイヤホン及びスピーカー９３を通してモノ音源を再生することができる。
【００３８】
このように、本発明による移動通信端末機は、モノ音源の入力を受けたときに、モノ音源を、モノ音源をモノ音源再生用の音源出力部（イヤピース９５）に出力して再生するだけでなく、ステレオ音源再生用の音源出力部（イヤホンジャック９１、スピーカー９３）にも出力して再生することができるため、複数の音源出力装置を効率的に用いることができる。
【図面の簡単な説明】
【００３９】
【図１】本発明による移動通信端末機のステレオ音源出力装置を示すブロック図である。
【図２】本発明による移動通信端末機のモノ音源出力装置を示すブロック図である。
【図３】従来の移動通信端末機のモノ音源及びステレオ音源出力装置を示すブロック図である。
【符号の説明】
【００４０】
１０  ＣＰＵ(Central Processing Unit)
１１  ステレオコーデック
１３  モノコーデックコンバータ
１５  モノコーデック
２０  第１のイコールスプリッタ
３０  第１のＤＰＳＴ(Double Pole Single Throw)スイッチ
４０  ＳＰＤＴ(Single Pole Double Throw)スイッチ
５０  第２のＤＰＳＴスイッチ
６０  第２のイコールスプリッタ
７０  移相器
８０  位相検出部
【図１】
2006222932.tif 000003
【図２】
2006222932.tif 000004
【図３】
2006222932.tif 000005